(57)【要約】【課題】  情報処理装置それぞれの利用環境に応じた使用形態情報を用いて他の情報処理装置に最適な設定を行うことで、情報処理装置自体の信頼性を向上させることができるようにした監視装置および情報処理システムおよびプログラムを提供する。【解決手段】  監視対象の画像形成装置からトラブル情報を含む使用形態情報を受信した監視サーバ１００が、そのトラブル情報で示された障害が発生した画像形成装置１０１の使用形態情報および正常動作している他の画像形成装置１０１の使用形態情報をもとに、それぞれヒストグラムを作成し、作成したヒストグラムから特徴量を抽出する。両者の特徴量を比較して異なる場合に、その特徴量を抽出するのに用いた正常動作している画像形成装置の使用形態情報に基づいて、障害が発生した画像形成装置の障害に対応する。【選択図】図１
2010186441.tif 000002
【特許請求の範囲】
【請求項１】
情報処理装置から使用形態情報を含む情報を受信する受信手段と、
前記受信手段により受信した使用形態情報を記憶する記憶手段と、
前記受信手段によって前記使用形態情報とともに障害情報を受信することにより、当該使用形態情報と前記記憶手段に記憶された正常に動作している情報処理装置の使用形態情報とに基づき、当該障害情報の送信元の情報処理装置に対して障害の対策に関する情報を送信する送信手段と
を備える監視装置。
【請求項２】
複数の使用形態情報が同一または対応するものであるか否を判断する使用形態情報判断手段
をさらに具備し、
前記送信手段は、
前記記憶手段に記憶された正常に動作している情報処理装置の使用形態情報のうち、前記受信手段により受信した使用形態情報と同一または対応すると前記使用形態情報判断手段により判断された使用形態情報に基づいて障害の対策に関する情報を送信する請求項１記載の監視装置。
【請求項３】
前記受信手段によって使用形態情報とともに障害情報を受信することにより該障害情報に関する障害予測式を作成する作成手段と、
前記作成手段により作成した障害予測式を保存する保存手段と、
前記受信手段により前記使用形態情報を受信した際に、前記保存手段で保存された障害予測式に基づく予測結果に基づいて当該使用形態情報の送信元の情報処理装置における障害可能性を判断する判断手段と
をさらに具備し、
前記送信手段は、
前記判断手段により判断された障害可能性に基づき、当該使用形態情報を送信した情報処理装置に対して障害の対策に関する情報を送信する請求項１または２記載の監視装置。
【請求項４】
複数の情報処理装置と、
監視装置と、
を備え、
前記情報処理装置は、
自己の使用形態に関する使用形態情報を前記監視装置に送信し、さらに自己に障害が起きた場合または外部から指示の受け付けた場合には当該使用形態情報とともに自己の障害に関する障害情報を前記監視装置に送信する第１の送信手段と、
を具備し、
前記監視装置は、
情報処理装置から使用形態情報を含む情報を受信する受信手段と、
前記受信手段により受信した使用形態情報を記憶する記憶手段と、
前記受信手段によって使用形態情報とともに障害情報を受信することにより、当該使用形態情報と前記記憶手段に記憶された正常に動作している情報処理装置の使用形態情報とに基づき、当該障害情報の送信元の情報処理装置に対して障害の対策に関する情報を送信する第２の送信手段と
を具備する情報処理システム。
【請求項５】
コンピュータを、
情報処理装置から使用形態情報を含む情報を受信する受信手段、
前記受信手段により受信した使用形態情報を記憶する記憶手段、
前記受信手段によって前記使用形態情報とともに障害情報を受信することにより、当該使用形態情報と前記記憶手段に記憶された正常に動作している情報処理装置の使用形態情報とに基づき、当該障害情報の送信元の情報処理装置に対して障害の対策に関する情報を送信する送信手段
として機能させるプログラム。
【発明の詳細な説明】
【技術分野】
【０００１】
本発明は、監視装置および情報処理システムおよびプログラムに関する。
【背景技術】
【０００２】
印刷処理等を行う画像形成装置では、その利用環境や使用条件、使用度合によって、使用形態に応じた各種の設定、調整を行っている。例えば、当該画像形成装置の利用環境として、サーバールーム等の比較的気温の高い状態での使用や、工場等の多湿、振動が激しい環境での使用等がある。
【０００３】
これらの利用環境に応じた設定、調整は、その画像形成装置の設置、一定期間の利用によって、個々にそれぞれ設定を行っている。
【０００４】
特許文献１に開示された技術は、デバイスにおける自己診断結果をデバイス管理サーバに送り、このデバイス診断手段がその自己診断結果に対して故障と関連ある状態であることを認識することにより、故障傾向のあるデバイスであると予測している。
【０００５】
これにより、特許文献１では、ネットワーク回線によって接続されたデバイスで発生した故障を正確に予測することを可能としている。
【特許文献１】特開２００４−２１３６１８号公報
【発明の開示】
【発明が解決しようとする課題】
【０００６】
本発明は、システム本構成を有しない場合と比較して、情報処理装置の障害に対処できる可能性が高い監視装置、情報処理システム、およびプログラムを提供することを目的とする。
【課題を解決するための手段】
【０００７】
上記目的を達成するため、請求項１の発明は、情報処理装置から使用形態情報を含む情報を受信する受信手段と、前記受信手段により受信した使用形態情報を記憶する記憶手段と、前記受信手段によって前記使用形態情報とともに障害情報を受信することにより、当該使用形態情報と前記記憶手段に記憶された正常に動作している情報処理装置の使用形態情報とに基づき、当該障害情報の送信元の情報処理装置に対して障害の対策に関する情報を送信する送信手段とを備える。
【０００８】
また、請求項２の発明は、請求項１の発明において、  複数の使用形態情報が同一または対応するものであるか否を判断する使用形態情報判断手段をさらに具備し、前記送信手段は、前記記憶手段に記憶された正常に動作している情報処理装置の使用形態情報のうち、前記受信手段により受信した使用形態情報と同一または対応すると前記使用形態情報判断手段により判断された使用形態情報に基づいて障害の対策に関する情報を送信する。
【０００９】
また、請求項３の発明は、請求項１または２の発明において、前記受信手段によって使用形態情報とともに障害情報を受信することにより該障害情報に関する障害予測式を作成する作成手段と、前記作成手段により作成した障害予測式を保存する保存手段と、前記受信手段により前記使用形態情報を受信した際に、前記保存手段で保存された障害予測式に基づく予測結果に基づいて当該使用形態情報の送信元の情報処理装置における障害可能性を判断する判断手段とをさらに具備し、前記送信手段は、前記判断手段により判断された障害可能性に基づき、当該使用形態情報を送信した情報処理装置に対して障害の対策に関する情報を送信する。
【００１０】
また、請求項４の発明は、複数の情報処理装置と、監視装置と、を備え、前記情報処理装置は、自己の使用形態に関する使用形態情報を前記監視装置に送信し、さらに自己に障害が起きた場合または外部から指示の受け付けた場合には当該使用形態情報とともに自己の障害に関する障害情報を前記監視装置に送信する第１の送信手段と、を具備し、前記監視装置は、情報処理装置から使用形態情報を含む情報を受信する受信手段と、前記受信手段により受信した使用形態情報を記憶する記憶手段と、前記受信手段によって使用形態情報とともに障害情報を受信することにより、当該使用形態情報と前記記憶手段に記憶された正常に動作している情報処理装置の使用形態情報とに基づき、当該障害情報の送信元の情報処理装置に対して障害の対策に関する情報を送信する第２の送信手段とを具備する。
【００１１】
また、請求項５の発明は、コンピュータを、情報処理装置から使用形態情報を含む情報を受信する受信手段、前記受信手段により受信した使用形態情報を記憶する記憶手段、前記受信手段によって前記使用形態情報とともに障害情報を受信することにより、当該使用形態情報と前記記憶手段に記憶された正常に動作している情報処理装置の使用形態情報とに基づき、当該障害情報の送信元の情報処理装置に対して障害の対策に関する情報を送信する送信手段として機能させる。
【発明の効果】
【００１２】
本発明の請求項１および４および５にかかる発明によれば、本構成を有しない場合と比較して、情報処理装置の障害に対処できる可能性が高くなるという効果を奏する。
【００１３】
また、請求項２にかかる発明によれば、複数の情報処理装置の使用状況の同一性または対応を考慮した、障害への対処が可能となる。
【００１４】
また、請求項３にかかる発明によれば、本構成を有しない場合と比較して、情報処理装置の障害の発生を未然に防ぐことのできる可能性が高くなるという効果を奏する。
【発明を実施するための最良の形態】
【００１５】
以下、本発明に係わる監視装置および情報処理システムおよびプログラムの一実施例を添付図面を参照して詳細に説明する。
【００１６】
図１は、本発明の実施の形態における情報処理システムを適用して構成したシステム構成図の一例である。
【００１７】
図１には、複数の画像形成装置（１０１−Ａ、１０１−Ｂ、１０１−Ｃ、１０１−Ｄ、・・・）（以下、総称して「画像形成装置１０１」と示す）と監視サーバ１００が電気通信回線を介して接続されたネットワーク構成を示している。
【００１８】
監視サーバ１００は、画像形成装置１０１における画像形成機能の稼動状態や使用状態を監視する。これは、画像形成装置１０１から適時、当該画像形成装置１０１がどのように使用されたかを表した使用形態情報を受信することによって稼動状態、使用状態を監視する。
【００１９】
画像形成装置１０１は、監視サーバ１００により監視される処理装置の一例であって、画像データの画像形成処理を行う。監視対象の処理装置は、本画像形成装置１０１に限定されることなく、他の処理装置（例えばネットワーク機器等）によって構成することも可能である。
【００２０】
この画像形成装置１０１では、各画像形成処理などによって使用形態情報を作成し、その後、画像形成処理が行われるごとなどに応じて当該使用形態情報を更新する。例えば、画像形成処理の一例として、印刷処理が行われた場合、用紙搬送ローラの回転速度、印刷機能の起動時間などの各種設定項目とその設定項目に設定された設定値とから構成される使用形態情報を作成する。また、設定値に関する情報の他、カラーで印刷した枚数（カラー印刷枚数）や、印刷に用いた用紙サイズに関する情報など、画像形成装置１０がどのように使用されているか（使用状況）を示す情報を含めてもよい。印刷処理の際など、必要に応じてこの使用形態情報を更新する。
【００２１】
この使用形態情報には、さらに画像形成装置を識別する識別情報もが含まれている。
【００２２】
このようにして作成された使用形態情報は、画像形成装置１０１に記憶され、一定の時刻となることにより監視サーバ１００に対して送信するか、若しくは監視サーバ１００からの送信要求を受信することによってその監視サーバ１００に対して送信する。
【００２３】
さらに、画像形成装置１０１では、画像形成処理機能に障害（若しくは「不具合」ともいう）が発生すると、発生した障害に関する障害情報（以下、「トラブル情報」ともいう）を状態監視機能によって作成し、作成したトラブル情報を、使用形態情報とともに監視サーバ１００に送信する。
【００２４】
なお、画像形成装置の操作者により画像形成装置に設けられたボタンが押下される等、操作者の要求にもとづいて、トラブル情報および使用形態情報を監視サーバ１００に送信するとしてもよい。操作者の要求にもとづく場合においては、障害の種類に関する情報を操作者が画像形成装置を通じて入力できるように構成し、入力された障害の種類に関する情報をトラブル情報として（あるいは、トラブル情報に付加して）監視サーバ１００に送信する。
【００２５】
監視サーバ１００では、電気通信回線を介して接続された画像形成装置１０１から各画像形成装置における使用形態情報を受信することにより各画像形成装置に対応付けてその使用形態情報を記憶する。
【００２６】
さらに、トラブル情報とともに使用形態情報を受信した場合には、障害が発生した画像形成装置と同機種若しくは対応する他の画像形成装置における使用形態情報を用いて重回帰分析、線形判別を行うことでそのトラブル情報に基づく障害の対策方法を特定する。
【００２７】
この特定した対策方法を、障害が発生した画像形成装置にフィードバックすることで解決を図る。
【実施例１】
【００２８】
図２は、図１に示すような構成における監視サーバの詳細な構成の一例を示す図である。
【００２９】
図２において、監視サーバ１００は、情報受信部１０、障害発生有無判定部１１、使用形態情報・トラブル情報収集部１２、記憶部１３、使用形態情報収集部１４、ヒストグラム作成部１５、特徴量比較部１６、調整判断部１７、情報送信部１８を具備して構成される。
【００３０】
情報受信部１０は、画像形成装置１０１より使用形態情報、トラブル情報等を受信する。この情報受信部１０は、計時機能を有し、予め指定された時刻となることにより各画像形成装置１０１に対して使用形態情報等の情報の送信要求を行う。
【００３１】
情報受信部１０により画像形成装置１０１から使用形態情報等を受信すると、受信した使用形態情報等を障害発生有無判定部１１へと送出する。障害発生有無判定部１１では、受信した使用形態情報等にトラブル情報が含まれているかを判断することにより、送信元の画像形成装置で障害が発生しているかの判定を行う。すなわち、情報受信部１０で使用形態情報のみを受信した場合には、送信元の画像形成装置で障害が発生していないと判定でき、また、使用形態情報に加えてトラブル情報をも受信した場合には送信元の画像形成装置に障害が発生していると判断できる。
【００３２】
このような判定によって、障害が発生していないと判定される場合には、使用形態情報収集部１４に使用形態情報を送出する。それに対して、障害が発生していると判定される場合には、使用形態情報・トラブル情報収集部１２に対して受信した使用形態情報、トラブル情報を送出する。
【００３３】
使用形態情報収集部１４は、受信した使用形態情報を収集して当該使用形態情報に含まれる識別情報に対する使用形態情報として記憶部１３に記憶する。この使用形態情報収集部１４では、受信した使用形態情報の送信元の画像形成装置と同機種の画像形成装置における使用形態情報を記憶部１３より取得してヒストグラム作成部１５へと送出する。
【００３４】
また、使用形態情報・トラブル情報収集部１２は、障害発生有無判定部１１により使用形態情報・トラブル情報を受信すると、これらの情報を送信元の画像形成装置１０１に対応付けて記憶部１３に記憶する。そして、この使用形態情報・トラブル情報収集部１２では、受信した使用形態情報およびトラブル情報の送信元の画像形成装置と同機種の画像形成装置で発生した当該トラブル情報により示される障害が発生した画像形成装置における使用形態情報を記憶部１３より取得してヒストグラム作成部１５へと送出する。
【００３５】
ヒストグラム作成部１５では、使用形態情報の各設定項目の設定値に対するヒストグラムを作成する。
【００３６】
すなわち、使用形態情報収集部１４から受信した正常に動作している（正常動作している）画像形成装置の使用形態情報に基づくヒストグラム、および、使用形態情報・トラブル情報収集部１２から受信した障害が発生した画像形成装置の使用形態情報に基づくヒストグラムを、使用形態情報の設定項目ごとに作成する。
【００３７】
前者のヒストグラムの一例を図３（ａ）に示し、後者のヒストグラムの一例を図３（ｂ）に示す。
【００３８】
図３は、格納庫に格納された印刷用紙の搬送による用紙検出センサーまでの搬送時間の設定項目に対する搬送時間の設定値のヒストグラムであり、搬送時間に対する設定値を横軸に示し、各設定値が設定された画像形成装置の台数を縦軸に示している。
【００３９】
図３では、搬送時間に対する設定値として設定可能な設定値（０〜２００）を横軸に示しており、各設定値を設定した場合における印刷用紙の搬送時間の一例を図５に示している。
【００４０】
図４は、図３に示すヒストグラムの設定項目である「格納庫に格納された印刷用紙の搬送による用紙検出センサーまでの搬送時間」を示す図である。
【００４１】
印刷用紙格納庫４０４に格納された印刷用紙が用紙取り出しローラ４０３によって取り出され、用紙搬送ローラ４０２によって用紙搬送路を搬送される。このとき、図３の設定値によって、用紙取り出しローラ４０３によって取出しが開始されてから用紙搬送路上の特定の位置に設置された用紙検出センサー４０１に到達するまでの搬送時間を設定する。
【００４２】
この設定値を「５０」とした場合、「８０」とした場合、「１２０」とした場合それぞれの３つの場合において、センサー４０１が印刷用紙を検知するまでの時間を示す図を図５に示す。
【００４３】
図５は、設定値を「５０」、「８０」、「１２０」とした場合におけるセンサー４０１が印刷用紙を検知（センサー出力）するまでの経過時間を示している。
【００４４】
図５では、設定値を「５０」とした場合のセンサー出力までの経過時間が「ｔ３」であることを示し、設定値を「８０」とした場合のセンサー出力までの経過時間が「ｔ２」であることを示し、設定値を「１２０」とした場合のセンサー出力までの経過時間が「ｔ１」であることを示している。
【００４５】
このように、各設定値が設定された画像形成装置の台数（図３の縦軸に示す台数）を図６に示している。
【００４６】
図６は、任意の設定項目における一定範囲内の各設定値が設定された画像形成装置の台数を表した図であって、[設定値]項目６０１、[台数]項目６０２により構成される。
【００４７】
[設定値]項目６０１は、設定値の幅を示しており、[台数]項目６０２は、[設定値]項目６０１で示される設定値の幅にある画像形成装置の台数を示している。
【００４８】
図６（ａ）は、正常動作している画像形成装置に設定された設定値および当該設定値が設定された画像形成装置の台数を示している。
【００４９】
例えば、[設定値]項目６０１が「０〜５０」であり、[台数]項目６０２が「３」であるレコードによって、設定値「５０」以下が設定された画像形成装置が「３台」設置されていることを示す。また、[設定値]項目６０１が「５１〜１００」であり、[台数]項目６０２が「５０」であるレコードによって、設定値「５１〜１００」が設定された画像形成装置が「５０台」設置されていることを示し、さらに、[設定値]項目６０１が「１０１〜１５０」であり、[台数]項目６０２が「１５」であるレコードによって、設定値「１０１〜１５０」が設定された画像形成装置が「１５台」設置されていることを示す。そして、[設定値]項目６０１が「１５１〜２００」であり、[台数]項目６０２が「２」であるレコードによって、設定値「１５１」以上が設定された画像形成装置が「２台」設置されていることを示している。
【００５０】
図６（ｂ）は、障害が発生した画像形成装置に設定された設定値および当該設定値が設定された画像形成装置の台数を示している。
【００５１】
例えば、[設定値]項目６０１が「０〜５０」であり、[台数]項目６０２が「４」であるレコードによって、設定値「５０」以下が設定された画像形成装置が「４台」設置されていることを示す。また、[設定値]項目６０１が「５１〜１００」であり、[台数]項目６０２が「１２」であるレコードによって、設定値「５１〜１００」が設定された画像形成装置が「１２台」設置されていることを示し、さらに、[設定値]項目６０１が「１０１〜１５０」であり、[台数]項目６０２が「２５」であるレコードによって、設定値「１０１〜１５０」が設定された画像形成装置が「２５台」設置されていることを示す。そして、[設定値]項目６０１が「１５１〜２００」であり、[台数]項目６０２が「７０」であるレコードによって、設定値「１５１」以上が設定された画像形成装置が「７０台」設置されていることを示している。
【００５２】
このような２つのヒストグラム（障害が発生した画像形成装置の設定値におけるヒストグラムおよび正常動作している画像形成装置における同一の設定値におけるヒストグラム）をヒストグラム作成部１５で作成されると、ヒストグラム作成部１５は、作成したこれらのヒストグラムを特徴量比較部１６へと送出して両ヒストグラムの比較要求を行う。
【００５３】
特徴量比較部１６は、ヒストグラム作成部１５により作成された各ヒストグラムを特徴付ける特徴量を比較して、両ヒストグラムがどの程度、異なっているかを算出する。算出した特徴量の差分が閾値以上である場合には、正常動作している画像形成装置と障害が発生した画像形成装置とにおいて、各設定項目における設定値が設定された傾向が大きく異なっていることを示している。
【００５４】
特徴量比較部１６によって特徴量が比較されると、その比較結果を調整判断部１７へと送出し、調整判断部１７では、比較結果を元に、設定項目の設定値を変更する必要があるかを判断するとともに、変更する必要があると判断する場合には、正常動作している画像形成装置の当該設定項目における設定値の全体の平均値や一定の標準偏差における中心値を計算する。
【００５５】
そして、計算後の値に設定値を変更すると調整を行う。
【００５６】
設定項目における設定値の調整が行われると、調整判断部１７は、情報送信部１８へと送出する。情報送信部１８は、その調整された設定値を、障害が発生した画像形成装置に送信することで当該設定値の適用により障害の対策とする。
【００５７】
このような設定値の調整を各設定項目に対して行う。
【００５８】
図７は、本発明の実施の形態における情報処理システムを構成する監視サーバで行われる処理の詳細な流れを示すフローチャートである。
【００５９】
図７において、画像形成装置から使用形態情報等を受信すると（７０１）、その受信した情報に、送信元の画像形成装置で発生した障害の内容を示すトラブル情報を受信したかを判断する（７０２）。
【００６０】
まず、トラブル情報を受信せず使用形態情報を受信した場合（７０２でＮＯ）には、送信元の画像形成装置で障害が発生したことにより使用形態情報を送信したのではなく、所定の時刻となることにより定期的に送信したことを示し、受信した使用形態情報を画像形成装置を識別する識別情報に対応付けて記憶する（７１５）。
【００６１】
続いて、正常動作している他の画像形成装置から受信して記憶した状態にある使用形態情報を元に、その使用形態情報に含まれる各種の設定項目ごとにヒストグラムを作成する（７１６）。
【００６２】
すなわち、使用形態情報に含まれる設定項目の数だけヒストグラムが作成され、その一例として、図３（ａ）には、印刷用紙の取り出し経過時間の設定項目におけるヒストグラムを示している。
【００６３】
このようにして作成されたヒストグラムは、正常動作する画像形成装置の該当する設定項目におけるヒストグラムとして保存する（７１７）。
【００６４】
さらに、このヒストグラムの作成処理が、障害の発生による対策に用いるヒストグラムの作成要求に基づくものであるかを判断する（７１８）。この作成要求に基づくヒストグラムの作成処理でない場合（７１８でＮＯ）には、処理を終了する。
【００６５】
次に、画像形成装置から使用形態情報のほかトラブル情報を受信した場合（７０２でＹＥＳ）には、送信元の画像形成装置で障害が発生したことにより使用形態情報およびトラブル情報を受信したことを示し、受信した使用形態情報およびトラブル情報を、送信元の画像形成装置の識別情報に対応付けて記憶する（７０３）。
【００６６】
続いて、受信したトラブル情報を解析することにより画像形成装置で発生した障害の内容を特定する（７０４）。
【００６７】
そして、解析して特定した障害の内容と同一若しくは対応する障害が発生した他の画像形成装置における使用形態情報を取得する（７０５）。取得した各使用形態情報に含まれる各種の設定項目ごとにヒストグラムを作成する（７０６）。
【００６８】
続いて、作成した各設定項目のヒストグラムに対して、当該設定項目における正常動作している画像形成装置のヒストグラムが保存されているかを判断し（７０７）、作成されて保存されている場合（７０７でＹＥＳ）には、両ヒストグラムの特徴量の差分を計算する（７０８）。
【００６９】
それに対して、当該設定項目における正常動作している画像形成装置のヒストグラムが保存されていない場合（７０７でＮＯ）には、正常動作する画像形成装置の設定項目に対するヒストグラムを作成（７１６）し、作成したヒストグラムを保存（７１７）する。障害の発生による対策に用いるヒストグラムの作成要求に基づくものと判定されると（７１８でＹＥＳ）、障害が発生した画像形成装置の使用形態情報に基づくヒストグラムとの差分を計算する（７０８）。
【００７０】
このようにしてヒストグラムの差分を計算すると、その差分が閾値以上であるかを判断し（７０９）、閾値以上でない場合（７０９でＮＯ）、すなわち正常動作している画像形成装置と障害が発生した画像形成装置との間で当該設定項目の設定値に大きな差異はないことを示している。
【００７１】
この場合、続いて、全ての設定項目に対するヒストグラムの特徴量に対して、差分が計算されて比較されたかを判断し（７１４）、全ての設定項目に対して比較された場合（７１４でＹＥＳ）には処理を終了する。
【００７２】
また、全ての設定項目に対して比較されていない場合（７１４でＮＯ）には、他の設定項目に対して、ステップ７０５以降の処理を繰り返し行う。
【００７３】
ヒストグラムの差分を計算した結果、その差分が閾値以上であると判断した場合（７０９でＹＥＳ）は、正常動作している画像形成装置と障害が発生した画像形成装置との間で当該設定項目の設定値に大きな差異が生じていることを示している。
【００７４】
この場合、正常動作している画像形成装置の当該設定項目における設定値の全体の平均値や一定の標準偏差における中心値を計算する（７１０）。そして、計算した値を当該設定項目における新たな設定値と決定する（７１１）。
【００７５】
このように、新たな設定値を決定すると、その設定項目に対する設定値の情報を、受信したトラブル情報に対応付けて保存し（７１２）、障害に対する対策としてトラブル情報の送信元である画像形成装置に送信する（７１３）。
【実施例２】
【００７６】
上記の実施例１では、障害が発生した画像形成装置に対して対策を行うことを可能としているのに対して、本実施例２では、障害が発生していない画像形成装置に対しても対策を行う。
【００７７】
図８は、図１に示すような構成における監視サーバの詳細な構成の一例を示す図である。
【００７８】
図８において、監視サーバ１００は、情報受信部８０１、障害発生有無判定部８０２、使用形態情報・トラブル情報収集部８０３、記憶部８０４、使用形態情報収集部８０５、トラブル情報分類集計部８０６、トラブル予測式作成部８０７、トラブル度算出部８０８、対策判定部８０９、障害対策管理部８１０、情報送信部８１１、保存部８１２を具備して構成される。
【００７９】
情報受信部８０１は、画像形成装置１０１より使用形態情報、トラブル情報等を受信する。この情報受信部１０は、計時機能を有し、予め指定された時刻となることにより各画像形成装置に対して使用形態情報等の情報の送信要求を行う。
【００８０】
情報受信部１０により使用形態情報等を受信すると、受信した使用形態情報等の情報を障害発生有無判定部１１へと送出し、障害発生有無判定部１１では、受信した情報にトラブル情報が含まれているかを判断することにより、送信元の画像形成装置で障害が発生しているかの判定を行う。すなわち、情報受信部１０で使用形態情報のみを受信した場合には、障害が発生していないと判定し、使用形態情報に加えてトラブル情報をも受信した場合には当該送信元の画像形成装置に障害が発生していると判断する。
【００８１】
障害が発生していないと判定される場合には、使用形態情報収集部８０５に使用形態情報を送出する。それに対して、障害が発生していると判定される場合には、使用形態情報・トラブル情報収集部８０３に対して受信した使用形態情報、トラブル情報を送出する。
【００８２】
使用形態情報収集部８０５は、受信した使用形態情報を収集して当該使用形態情報に含まれる識別情報に対する使用形態情報として記憶部８０４に記憶する。この使用形態情報収集部８０５では、受信した使用形態情報の送信元の画像形成装置と同機種の画像形成装置における使用形態情報を記憶部８０４より取得してトラブル度算出部８０８へと送出する。
【００８３】
また、使用形態情報・トラブル情報収集部８０３は、障害発生有無判定部８０２により使用形態情報・トラブル情報を受信すると、これらの情報を送信元の画像形成装置１０１に対応付けて記憶部８０４に記憶する。そして、この使用形態情報・トラブル情報収集部８０３では、受信した使用形態情報およびトラブル情報の送信元の画像形成装置と同機種の画像形成装置における使用形態情報およびトラブル情報を記憶部８０４より取得してトラブル情報分類集計部８０６へと送出する。
【００８４】
なお、上記の処理により記憶部８０４に記憶された画像形成装置の識別情報に対する使用形態情報・トラブル情報の一例を図９に示している。
【００８５】
図９は、[装置ＩＤ]項目９０１、[トラブル情報]項目９０２、[生産日]項目９０３、[カラー枚数]項目９０４、[白黒枚数]項目９０５、[ドラムサイクル数]項目９０６により構成されており、使用形態情報・トラブル情報収集部８０３で収集した障害が発生した画像形成装置の使用形態情報およびトラブル情報のほか、使用形態情報収集部８０５で収集した正常動作する画像形成装置の使用形態情報が含まれる。
【００８６】
例えば、[装置ＩＤ]項目９０１が「1114741」であり、[トラブル情報]項目９０２が「ＡＡＡ」であり、[生産日]項目９０３が「2008/03/08」、[カラー枚数]項目９０４が「152」であり、[白黒枚数]項目９０５が「10221」であり、[ドラムサイクル数]項目９０６が「20584」であるレコードは、装置ＩＤが「1114741」である画像形成装置に、「ＡＡＡ」の障害が発生したことを示し、その画像形成装置の生産日が「2008/03/08」であり、この画像形成装置では、「152」枚のカラー印刷を行い、「10221」枚の白黒印刷を行ったことことによりドラムの回転数が「20584」であることを示す。
【００８７】
また、[装置ＩＤ]項目９０１が「M/C-1」であり、[トラブル情報]項目９０２が「−」であり、[生産日]項目９０３が「2008/05/01」、[カラー枚数]項目９０４が「125」であり、[白黒枚数]項目９０５が「7654」であり、[ドラムサイクル数]項目９０６が「13658」であるレコードは、[トラブル情報]項目９０２が「−」であることから装置ＩＤが「M/C-1」である画像形成装置が正常動作しており、その画像形成装置の生産日が「2008/05/01」であり、この画像形成装置では、「125」枚のカラー印刷を行い、「7654」枚の白黒印刷を行ったことによりドラムの回転数が「13658」であることを示す。
【００８８】
この図９に示すような使用形態情報・トラブル情報を使用形態情報・トラブル情報収集部８０３から受信したトラブル情報分類集計部８０６では、これらの使用形態情報、トラブル情報を元に、各トラブル情報における画像形成装置の使用形態情報および正常動作している画像形成装置の使用形態情報に分類して集計する。
【００８９】
図１０には、トラブル情報「ＡＡＡ」における画像形成装置の使用形態情報と、正常動作している画像形成装置の使用形態情報を示している。
【００９０】
図１０は、トラブル予測式作成部８０７による障害予測式（以下、「トラブル予測式」という）の作成に用いる情報を図９に示すテーブルから集計した図である。
【００９１】
図１０は、[トラブル情報]項目１００１、[装置ＩＤ]項目１００２、[白黒枚数（Ｘ）]項目１００３、[ドラムサイクル数（Ｙ）]項目１００４から構成される。
【００９２】
一例として、[トラブル情報]項目１００１には、トラブル情報として「ＡＡＡ」が示され、[装置ＩＤ]項目１００２には、障害が発生した装置の装置ＩＤが示され、[白黒枚数（Ｘ）]項目１００３は白黒印刷を行った印刷枚数が示され、[ドラムサイクル数（Ｙ）]項目１００４には、ドラムの回転数が示されている。このとき、白黒印刷の印刷枚数を変数「Ｘ」とし、ドラムの回転数を変数「Ｙ」とする。
【００９３】
さらに、別の例として、[トラブル情報]項目１００１には、「−」が示され、[装置ＩＤ]項目１００２には、正常動作している画像形成装置の装置ＩＤとして「M/C-1」が示され、[白黒枚数（Ｘ）]項目１００３には、白黒印刷を行った印刷枚数として「7654」が示され、[ドラムサイクル数（Ｙ）]項目１００４には、ドラムの回転数として「13658」が示されている。
【００９４】
図１０に示すようにトラブル情報分類集計部８０６で、各トラブル情報における画像形成装置の使用形態情報および正常動作している画像形成装置の使用形態情報に分類して集計すると、その旨をトラブル予測式作成部８０７に送出する。
【００９５】
トラブル予測式作成部８０７では、トラブル情報分類集計部８０６で分類、集計された図１０に示すような情報を元に、トラブル予測式を作成する。
【００９６】
このトラブル作成式は、以下の（数式１）に示すような線形判別関数として求めることができる。
【００９７】
【数１】
2010186441.tif 000003
【００９８】
この（数式１）の変数Ｚは、トラブル度を示しており、この変数Ｚが「０（ゼロ）」より大きな値であれば、障害が発生する可能性があると判別される。また、この変数Ｚが「０（ゼロ）」以下であれば、正常に動作する可能性が高いと判別される。
【００９９】
また、変数Ｘ、Ｙは、トラブル予測に用いる引数であって、図１０に示す例の場合、白黒の印刷枚数を変数Ｘとし、カラーの印刷枚数を変数Ｙとしている。
【０１００】
このことから、変数Ｚが「０（ゼロ）」より大きな値である場合には、障害として「ＡＡＡ」が発生する可能性があることを示すこととなる。
【０１０１】
なお、（数式１）に示す定数ａ、ｂは、以下の（数式２）および（数式３）の連立方程式により算出される。
【０１０２】
【数２】
2010186441.tif 000004
【０１０３】
【数３】
2010186441.tif 000005
【０１０４】
（数式２）に示す変数の添字である「Ｔ」は、図１０に示すトラブルが発生した画像形成装置における使用形態情報のグループを示し、「Ｎ」は、図１０に示す正常動作している画像形成装置における使用形態情報のグループを示している。
【０１０５】
また、変数ｎＮは、図１０に示す正常動作している事例数を示し、ｎＴは、図１０に示すトラブルが発生した事例数を示している。
【０１０６】
また、ＸＴは、障害が発生した画像形成装置における白黒の印刷枚数であり、ＹＴは、障害が発生した画像形成装置におけるドラムの回転数の平均値を示している。同様に、ＸＮは、正常動作している画像形成装置における白黒の印刷枚数の平均値であり、ＹＮは、正常動作している画像形成装置におけるドラムの回転数の平均値を示している。
【０１０７】
さらに、Ｓは、分散を示しており、ＳＸは、白黒の印刷枚数の分散であり、ＳＹは、ドラムの回転数の分散であり、ＳＸＹは、白黒の印刷枚数とドラムの回転数の共分散である。
【０１０８】
次に、以下に示す（数式４）に図１０で示す数値を代入して変数Ｘ、Ｙを算出する。
【０１０９】
【数４】
2010186441.tif 000006
【０１１０】
このようにして変数Ｘ、Ｙが算出されると、この変数Ｘ、Ｙと上記の（数式２）、（数式３）の連立方程式により算出した定数ａ、ｂを（数式１）へと代入することによりトラブル度（変数Ｚ）を算出することでトラブルの予測を行う。
【０１１１】
上記のトラブル予測式は、トラブル情報「ＡＡＡ」における予測式の例を示しているが、他のトラブル情報、例えばトラブル情報「ＢＢＢ」等に対しても同様にトラブル予測式を作成する。
【０１１２】
このようにして、各トラブル情報に対してトラブル予測式を作成したトラブル予測式作成部８０７は、それら各トラブル予測式を保存部８１２へと保存する。
【０１１３】
保存部８１２では、トラブル情報ごとにトラブル予測式が保存された状態にある。
【０１１４】
次に、使用形態情報収集部８０５から、記憶部８０４より取得した使用形態情報が送出されたトラブル度算出部８０８では、上記する（数式１）によりトラブル度の算出を行う。すなわち、トラブル度算出部８０８では、保存部８１２で保存された各トラブル予測式を用いて、トラブル情報それぞれのトラブル予測を行う。
【０１１５】
その予測結果を、対策判定部８０９へと送信して、（数式１）の変数Ｚが「０（ゼロ）」以上となったトラブル情報があるかを判定する。「０（ゼロ）」以上となったトラブル情報がある場合には、当該トラブル情報に対する対策内容を障害対策管理部８１０から取得して、トラブル対策情報を作成する。
【０１１６】
このトラブル対策情報には、１または複数の対策内容が含まれている。
【０１１７】
トラブル対策情報の内容の一例を図１１に示す。
【０１１８】
図１１は、[トラブル情報]項目１１０１、[トラブル対策内容]項目１１０２から構成され、トラブル情報に対する対策内容を示している。
【０１１９】
例えば、[トラブル情報]項目１１０１が「ＡＡＡ」である場合には、その対策内容として[トラブル対策内容]項目１１０２に示す「設定値Ｘをαに設定」という対策を行うことを示す。
【０１２０】
対策判定部８０９は、トラブル対策情報を作成すると、情報送信部８１１へと送出し、情報送信部８１１は、該当する画像形成装置へと送信する。
【０１２１】
なお、トラブル対策情報として、障害対策管理部８１０から取得したものではなく、上記の実施例１に示すように、正常動作する画像形成装置の使用形態情報に基づき求めた設定値などの情報を用いてもよい。
【０１２２】
図１２は、本発明の実施の形態における情報処理システムを構成する監視サーバで行われる処理の詳細な流れを示すフローチャートである。
【０１２３】
図１２において、画像形成装置から使用形態情報等を受信すると（１２０１）、その受信した情報に、送信元の画像形成装置で発生した障害の内容を示すトラブル情報を受信したかを判断する（１２０２）。
【０１２４】
まず、トラブル情報を受信した場合（１２０２でＹＥＳ）には、受信した使用形態情報およびトラブル情報を画像形成装置を識別する識別情報に対応付けて記憶する（１２０３）。すなわち、識別情報に対して使用形態情報、トラブル情報が記憶された状態にある。
【０１２５】
続いて、受信したトラブル情報と同一または対応するトラブル情報が関連付けられた使用形態情報を分類・集計し（１２０４）、各トラブル情報に対するトラブル予測式を作成する（１２０５）。作成したトラブル予測式をトラブル情報に対応付けて保存する（１２０６）。
【０１２６】
全てのトラブル情報に対してトラブル予測式を作成したかを判断して（１２０７）、全てのトラブル予測式を作成した場合（１２０７でＹＥＳ）には、処理を終了する。また、全てのトラブル情報に対するトラブル予測式を作成していない場合（１２０７でＮＯ）には、他のトラブル情報に対してトラブル予測式を作成して（１２０５）、作成したトラブル予測式を保存する（１２０６）。受信したトラブル情報を考慮したトラブル予測式が作成される。
【０１２７】
次に、画像形成装置からトラブル情報は受信せず、使用形態情報を受信した場合（１２０２でＮＯ）には、その使用形態情報を送信元の画像形成装置の識別情報に対応付けて記憶する（１２０８）。
【０１２８】
続いて、トラブル予測式の作成過程で分類、集計された各トラブル情報に対する使用形態情報を取得し（１２０９）、さらに保存されている全てのトラブル予測式を取得する（１２１０）。
【０１２９】
取得した使用形態情報を元に、トラブル予測式を適用してトラブル度を算出する（１２１１）。算出したトラブル度が障害の発生可能性が大きいと判断されるものであるかを判断し（１２１２）、発生可能性が大きいと判断されるものである場合（１２１２でＹＥＳ）には、発生する可能性が大きいと判断されたトラブルに対する対策内容に基づくトラブル対策情報を作成、更新する（１２１３）。
【０１３０】
次に、全てのトラブル予測式に基づくトラブル度を算出したかを判断し（１２１４）、全てのトラブル予測式に基づくトラブル度を算出していない場合（１２１４でＮＯ）には、他のトラブル予測式に基づいてトラブル度の算出を行う処理（ステップ１２１１）以降の処理を繰り返し行う。
【０１３１】
それに対して、全てのトラブル予測式に基づいてトラブル度を算出した場合（１２１４でＹＥＳ）には、作成したトラブル対策情報を使用形態情報の送信元である画像形成装置に送信する（１２１５）。
【実施例３】
【０１３２】
図１３は、図１に示すような構成における監視サーバの詳細な構成の一例を示す図である。
【０１３３】
図１３に示す監視サーバ１００は、情報受信部１３０１、情報収集部１３０２、対応要求通知受信判断部１３０３、記憶部１３０４、使用形態情報集計部１３０５、設定状態一覧作成部１３０６、対策決定部１３０７、情報送信部１３０８を具備して構成される。
【０１３４】
情報受信部１３０１では、画像形成装置１０１より使用形態情報等を受信する。この情報受信部１３０１は、画像形成装置から定期的に使用形態情報等を受信するほか、任意のタイミングで使用形態情報等を受信する。
【０１３５】
受信した使用形態情報等は、情報形態部１３０１から情報収集部１３０２へと送出され、情報収集部１３０２では、受信した使用形態情報およびトラブル発生率を、送信元の画像形成装置の識別情報に対応付けて記憶部１３０４へと記憶する。また、この情報収集部１３０２では、搭載する対応要求通知受信判断部１３０３によって情報受信部１３０１で受信した情報に、画像形成装置での動作不良、処理速度低下等の理由に基づいて要求された対応要求の通知（トラブル情報の一例）が含まれるかを判断する。
【０１３６】
この対応要求は、画像形成装置の操作者等により画像形成装置に設けられたボタンを押下することなどにより、画像形成装置での動作不良、処理速度低下を通知するものである。
【０１３７】
対応要求通知受信判断部１３０３では、対応要求が含まれていると判断する場合に、使用形態情報集計部１３０５に対して使用形態情報の集計要求を行う。
【０１３８】
使用形態情報集計部１３０５では、対応要求が行われた画像形成装置において発生した障害に関するトラブル発生率が閾値以下の（すなわち、正常動作している）他の画像形成装置における使用形態情報を記憶部１３０４から取得する。そして、取得した使用形態情報のうち、対応要求された画像形成装置の使用形態情報と同一若しくは対応する使用形態情報を集計する。
【０１３９】
この使用形態情報集計部１３０５では、使用形態情報を構成する任意の形態情報、例えばカラー印刷枚数などが同一または対応する使用形態情報を集計する。このとき、指定された１または複数の形態情報を比較することよって、同一または対応する使用形態情報を集計する。
【０１４０】
図１４には、使用形態情報を構成するカラー印刷枚数の使用形態を表した図であり、図１４（ａ）は、対応要求の送信元である画像形成装置におけるカラー枚数の使用形態を示し、図１４（ｂ）は、図１４（ａ）に示す使用形態にかかる画像形成装置と同一または対応した正常動作している画像形成装置のカラー枚数の使用形態を示す。
【０１４１】
図１４（ａ）および図１４（ｂ）は、時間経過を横軸に示し、カラー印刷枚数を縦軸に示している。
【０１４２】
この使用形態情報集計部１３０５では、図１４（ａ）および図１４（ｂ）に示すような図を元に、それぞれ特徴量を抽出し、その特徴量に基づく両使用形態情報の差分を算出する。そして、算出した差分が閾値以下である場合には、両使用形態情報は同一または対応する使用形態情報であると判断する。
【０１４３】
この場合、使用形態情報集計部１３０５は、設定状態一覧作成部１３０６に対して、同一または対応する使用形態情報の設定状態の一覧作成を要求する。
【０１４４】
なお、特徴量の一例として、図１４に示すような場合、一定期間における変化の割合等がある。
【０１４５】
設定状態一覧作成部１３０６は、使用形態情報集計部１３０５より要求を受信すると、同一または対応する使用形態情報の各使用形態における設定値、上記の図１４に示す例ではカラー印刷の使用形態に対して設定された設定値の一覧を作成する。
【０１４６】
設定値の一覧を作成すると、設定状態一覧作成部１３０６は、対策決定部１３０７に対して対策の決定を要求する。対策決定の要求が行われると、対策決定部１３０７は、たとえば、設定値の一覧に対してバラツキ度（標準偏差）を計算し、そのバラツキ度が所定の値よりも小さい設定値、すなわちバラツキが少ない設定値を、対策を行う設定値として決定して対策情報を作成して情報送信部１３０８へと送出する。また、上記の実施例１のように、標準偏差に代えて、設定値の平均値を用いるなどして設定を決定するような構成であってもよい。
【０１４７】
情報送信部１３０８は、対応要求が行われた画像形成装置へと対策情報を送信する。
【０１４８】
図１５は、本発明の実施の形態における情報処理システムを構成する監視サーバで行われる処理の詳細な流れを示すフローチャートである。
【０１４９】
図１５において、画像形成装置から使用形態情報等を受信すると（１５０１）、処理が開始される。受信した使用形態情報等は送信元の画像形成装置を識別する識別情報に対応付けて記憶される（１５０２）。受信する情報には、使用形態情報のほか、トラブル発生率の情報、対応要求通知がある。
【０１５０】
使用形態情報のほかに、送信元の画像形成装置の動作不良等による対応を要求する通知である対応要求通知が含まれているかを判断し（１５０３）、対応要求通知が含まれていない場合（１５０３でＮＯ）には、処理を終了する。
【０１５１】
それに対して、対応要求通知が含まれた使用形態情報を受信した場合（１５０３でＹＥＳ）には、送信元の画像形成装置で発生している動作不良等の対策のために以下の処理を行う。
【０１５２】
対応要求通知の送信元である画像形成装置から受信したトラブル発生率の情報から、当該トラブル発生率が閾値以下であってトラブル発生の割合が小さい画像形成装置における使用形態情報を、記憶した使用形態情報の一覧から取得する（１５０４）。
【０１５３】
取得した使用形態情報は、画像形成装置における各種の使用形態を示す情報群によって構成されており、これらの各使用形態と、対応要求通知とともに送信されてた使用形態情報の各使用形態とを比較する（１５０５）。
【０１５４】
比較した結果、これらの使用形態が同一または対応する使用形態であるかを判断する（１５０６）。例えば、図１４に示すような場合には、対応した使用形態であると判断する。この判断処理により同一または対応する使用形態であると判断された場合（１５０６でＹＥＳ）には、トラブル発生率が閾値以下の画像形成装置における使用形態情報の各使用形態ごとの設定値を集計する（１５０７）。
【０１５５】
続いて、全ての使用形態に対して上記の判断処理（１５０６）が行われたかを判断して（１５０８）、全ての使用形態に対して行われていない場合（１５０８でＮＯ）には、他の使用形態に対してステップ１５０５からステップ１５０７の処理を繰り返し行う。
【０１５６】
また、全ての使用形態情報に対して行われた場合（１５０８でＹＥＳ）には、集計した各使用形態における設定値のバラツキ度を標準偏差によって算出し（１５０９）、バラツキ度が少ない設定値を、動作不良等の対策に用いる設定値と決定する（１５１０）。
【０１５７】
使用形態に対する設定値と決定すると、その設定値を含む対策情報を、対応要求通知の送信元である画像形成装置に対して送信する（１５１１）。
【０１５８】
このようにして対応要求通知を行った画像形成装置に対応する。
【０１５９】
本発明は、上記し、且つ図面に示す実施例に限定することなく、その要旨を変更しない範囲内で適宜変形して実施できるものである。
【０１６０】
例えば、上記の実施例２において、トラブル対策情報として用いる情報は、実施例３のように、（正常動作する画像形成装置の使用形態情報のうち）当該トラブル対策情報を送信する画像形成装置の使用形態情報と、同一または対応する使用形態情報にもとづいて求めた設定値などでもよい。
【０１６１】
また、上記の実施例２において、トラブル予測式を作成する際に、単に正常動作している画像形成装置の使用形態情報に基づいたトラブル予測式ではなく、実施例３のように障害、不具合が発生した画像形成装置と、同一または対応する使用形態の、正常動作している画像形成装置の使用形態情報に基づいたトラブル予測式を作成してもよい。
【０１６２】
本発明は、通信機能を備えた情報処理システムで上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行する情報処理システムを構成することも可能である。情報処理システムを構成するコンピュータは、システムバスを介してＣＰＵ（Central Processor Unit）、ＲＯＭ（Read Only Memory）、ＲＡＭ（Random Access Memory）、ハードディスクが接続されている。ＣＰＵは、ＲＯＭまたはハードディスクに記憶されているプログラムに従い、ＲＡＭを作業領域にして処理を行う。
【０１６３】
また、プログラムを供給するための媒体は、通信媒体（通信回線、通信システムのように一時的または流動的にプログラムを保持する媒体）でもよい。例えば、通信ネットワークの電子掲示板（ＢＢＳ：Bulletin Board Service）に該プログラムを掲示し、これを通信回線を介して配信するようにしてもよい。
【図面の簡単な説明】
【０１６４】
【図１】本発明の実施の形態における情報処理システムを適用して構成したシステム構成図。
【図２】図１に示すような構成における監視サーバの詳細な構成の一例を示す図。
【図３】画像形成装置の使用形態情報に基づくヒストグラムを示す図。
【図４】画像形成装置の印刷用紙搬送過程を示す図。
【図５】センサーが印刷用紙を検知するまでの時間を示す図。
【図６】任意の設定項目における一定範囲内の各設定値が設定された画像形成装置の台数を表した図。
【図７】本発明の実施の形態における情報処理システムを構成する監視サーバで行われる処理の詳細な流れを示すフローチャート。
【図８】図１に示すような構成における監視サーバの詳細な構成の一例を示す図。
【図９】使用形態情報・トラブル情報の一例を示す図。
【図１０】トラブル予測式作成部８０７によるトラブル予測式の作成に用いる情報を集計した図。
【図１１】トラブル対策の内容の一例を示す図。
【図１２】本発明の実施の形態における情報処理システムを構成する監視サーバで行われる処理の詳細な流れを示すフローチャート。
【図１３】図１に示すような構成における監視サーバの詳細な構成の一例を示す図。
【図１４】使用形態情報を構成するカラー印刷枚数の使用形態を表した図。
【図１５】本発明の実施の形態における情報処理システムを構成する監視サーバで行われる処理の詳細な流れを示すフローチャート。
【符号の説明】
【０１６５】
１０        情報受信部
１１        障害発生有無判定部
１２        使用形態情報・トラブル情報収集部
１３        記憶部
１４        使用形態情報収集部
１５        ヒストグラム作成部
１６        特徴量比較部
１７        調整判断部
１８        情報送信部
８０１      情報受信部
８０２      障害発生有無判定部
８０３      使用形態情報・トラブル情報収集部
８０４      記憶部
８０５      使用形態情報収集部
８０６      トラブル情報分類集計部
８０７      トラブル予測式作成部
８０８      トラブル度算出部
８０９      対策判定部
８１０      障害対策管理部
８１１      情報送信部
８１２      保存部
１３０１    情報受信部
１３０２    情報収集部
１３０３    対応要求通知受信判断部
１３０４    記憶部
１３０５    使用形態情報集計部
１３０６    設定状態一覧作成部
１３０７    対策決定部
１３０８    情報送信部
【図１】
2010186441.tif 000007
【図２】
2010186441.tif 000008
【図３】
2010186441.tif 000009
【図４】
2010186441.tif 000010
【図５】
2010186441.tif 000011
【図６】
2010186441.tif 000012
【図７】
2010186441.tif 000013
【図８】
2010186441.tif 000014
【図９】
2010186441.tif 000015
【図１０】
2010186441.tif 000016
【図１１】
2010186441.tif 000017
【図１２】
2010186441.tif 000018
【図１３】
2010186441.tif 000019
【図１４】
2010186441.tif 000020
【図１５】
2010186441.tif 000021